(57)【要約】【課題】複数のリーダ／ライタとの安定な通信が出来できる非接触型ＩＣカード内蔵携帯端末及びその制御方法を提供する。【解決手段】同調回路のコンデンサの静電容量若しくはコイルのインダクタンスを変化させてアンテナの同調周波数を合わせることにより複数のリーダ／ライタとの通信を行う際に、前記同調周波数の決定を自動的に行うので、複数のリーダ／ライタとの安定な通信が出来できる。【選択図】図１
2008225927.tif 000002
【特許請求の範囲】
【請求項１】
同調回路のコンデンサの静電容量を変化させてアンテナの同調周波数を合わせることにより複数のリーダ／ライタとの通信を行う際に、前記同調周波数の決定を自動的に行うようにしたことを特徴とする非接触型ＩＣカード内蔵携帯端末。
【請求項２】
非接触型ＩＣカードチップと、該非接触型ＩＣカードチップ用の同調回路と、該同調回路のコンデンサの静電容量を自動的に変化させてアンテナの同調周波数を合わせることにより複数のリーダ／ライタとの通信を行う制御手段とを備えたことを特徴とする非接触型ＩＣカード内蔵携帯端末。
【請求項３】
同調回路のコイルのインダクタンスを変化させてアンテナの同調周波数を合わせることにより複数のリーダ／ライタとの通信を行う際に、前記同調周波数の決定を自動的に行うようにしたことを特徴とする非接触型ＩＣカード内蔵携帯端末。
【請求項４】
非接触型ＩＣカードチップと、該非接触型ＩＣカードチップ用の同調回路と、該同調回路のコイルのインダクタンスを自動的に変化させてアンテナの同調周波数を合わせることにより複数のリーダ／ライタとの通信を行う制御手段とを備えたことを特徴とする非接触型ＩＣカード内蔵携帯端末。
【請求項５】
過去に同調したことのある同調周波数のうちで同調頻度数に応じて周波数を設定して通信を行うようにしたことを特徴とする請求項１から４のいずれか１項記載の非接触型ＩＣカード内蔵携帯端末。
【請求項６】
同調回路のコンデンサの静電容量若しくはコイルのインダクタンスを変化させてアンテナの同調周波数を合わせることにより複数のリーダ／ライタとの通信を行う際に、前記同調周波数の決定を自動的に行うことを特徴とする非接触型ＩＣカード内蔵携帯端末の制御方法。
【請求項７】
過去に同調したことのある同調周波数のうちで同調頻度数に応じて周波数を設定して通信を行うことを特徴とする請求項６記載の非接触型ＩＣカード内蔵携帯端末の制御方法。
【発明の詳細な説明】
【技術分野】
【０００１】
本発明は、非接触型ＩＣカード内蔵携帯端末及びその制御方法に関する。
【背景技術】
【０００２】
従来の非接触型ＩＣカードは名刺サイズ等の大きさで実現されており、アンテナも名刺サイズを有効に利用した大きさのアンテナを使用する事が出来るため、送受信のために必要な起電力が十分得られていた。
ところで、非接触ＩＣカードのアンテナに生じる起電力が大きすぎると、内蔵するＩＣチップがその起電力によって破壊されるおそれがある。
このため、発生する起電力が大きすぎることによるＩＣチップの破壊を防ぐために、近接した状態で大きな起電力が発生する事を防ぐ方法が提案されている（例えば、特許文献１参照。）。
【０００３】
近年、非接触型ＩＣカードの応用範囲が広がり、携帯電話のような小型の機器内に組み込まれて商品の購入や駅での改札に使用される状況となっている。
このような場合、携帯電話の小型化、薄型化に伴い十分なアンテナスペースを携帯電話内に設けることができなくなり、従って十分なアンテナサイズを確保する事が出来ず、各種リーダ／ライタに対して通信する為の十分な信号が得られないという状況となる。
【０００４】
図２（ａ）は、非接触型ＩＣカード用の各リーダ／ライタと共振周波数との関係を示す図であり、図２（ｂ）は、非接触型ＩＣカードのうちのカードＩと共振周波数との関係を示す図であり、図２（ｃ）は、非接触型ＩＣカードのうちのカードIIと共振周波数との関係を示す図である。図２（ａ）〜（ｃ）において、横軸は共振周波数を示し、縦軸は電界強度を示す。
【０００５】
従来の名刺サイズのアンテナを使用したカードＩの場合には、図２（ａ）、（ｂ）に示す通りに、アンテナの共振周波数を、想定される複数のリーダ／ライタの中心周波数に設定する事により複数のリーダ／ライタとの通信が可能であった。
カードＩのアンテナの共振周波数に近いｆｃの共振周波数のアンテナを持つリーダ／ライタは十分な起電力が得られ、カードＩのアンテナの共振周波数から離れた共振周波数ｆａ、ｆｂ、ｆｄの共振周波数を持つリーダ／ライタにおいても必要な起電力が得られる。
【０００６】
一方、アンテナを小型化したカードIIにおいては通信可能な周波数の範囲（通信可能範囲）が狭まる状況となり、複数のリーダ／ライタと通信するためには複数の共振周波数に対応して変化できないと通信することができない。
【０００７】
図２（ｃ）においてカードIIのアンテナの共振周波数をｆＬとした場合はｆａ、ｆｂの共振周波数を有するリーダ／ライタとの通信は出来るがそれ以外の共振周波数を有するリーダ／ライタとの通信は出来ない。
【０００８】
これらの問題に対して、複数のコンデンサを切換えて共振周波数をリーダ／ライタに応じて切換えたり（例えば特許文献２参照。）、コイルへの接続配線を長くしたり（例えば、特許文献３参照。）、受信周波数を順次切換えたりする方法が提案されている（例えば、特許文献４参照）。
【特許文献１】特開平５−１２８３１９号公報
【特許文献２】特開２００６−２４４２１４号公報
【特許文献３】特開２００５−２５９１５３号公報
【特許文献４】特開平１０−１８７９１６号公報
【発明の開示】
【発明が解決しようとする課題】
【０００９】
近年、アンテナの小型化に伴い従来の固定周波数アンテナを有する非接触型ＩＣカードにおいては、複数のリーダ／ライタとの安定な通信が出来ないという問題がある。また、共振周波数を可変可能なアンテナを有する非接触型ＩＣカードにおいては、操作者が共振周波数を指定する必要があると言う問題がある。
【００１０】
そこで、本発明の目的は、複数のリーダ／ライタとの安定な通信が出来できる非接触型ＩＣカード内蔵携帯端末及びその制御方法を提供することにある。
【課題を解決するための手段】
【００１１】
上記課題を解決するため、請求項１記載の発明は、同調回路のコンデンサの静電容量を変化させてアンテナの同調周波数を合わせることにより複数のリーダ／ライタとの通信を行う際に、前記同調周波数の決定を自動的に行うようにしたことを特徴とする。
【００１２】
請求項１記載の発明によれば、同調回路のコンデンサの静電容量を変化させてアンテナの同調周波数を合わせることにより、複数のリーダ／ライタとの通信を行う際に、同調周波数の決定を自動的に行うようにしたので、複数のリーダ／ライタとの安定な通信が出来できる。
【００１３】
請求項２記載の発明は、非接触型ＩＣカードチップと、該非接触型ＩＣカードチップ用の同調回路と、該同調回路のコンデンサの静電容量を自動的に変化させてアンテナの同調周波数を合わせることにより複数のリーダ／ライタとの通信を行う制御手段とを備えたことを特徴とする。
【００１４】
請求項２記載の発明によれば、非接触型ＩＣカードチップと、非接触型ＩＣカードチップ用の同調回路と、同調回路のコンデンサの静電容量を自動的に変化させてアンテナの同調周波数を合わせることにより複数のリーダ／ライタとの通信を行う制御手段とを備えたので、複数のリーダ／ライタとの安定な通信が出来できる。
【００１５】
請求項３記載の発明は、同調回路のコイルのインダクタンスを変化させてアンテナの同調周波数を合わせることにより複数のリーダ／ライタとの通信を行う際に、前記同調周波数の決定を自動的に行うようにしたことを特徴とする。
【００１６】
請求項３記載の発明によれば、同調回路のコイルのインダクタンスを変化させてアンテナの同調周波数を合わせることにより複数のリーダ／ライタとの通信を行う際に、同調周波数の決定を自動的に行うようにしたので、複数のリーダ／ライタとの安定な通信が出来できる。
【００１７】
請求項４記載の発明は、非接触型ＩＣカードチップと、該非接触型ＩＣカードチップ用の同調回路と、該同調回路のコイルのインダクタンスを自動的に変化させてアンテナの同調周波数を合わせることにより複数のリーダ／ライタとの通信を行う制御手段とを備えたことを特徴とする。
【００１８】
請求項４記載の発明によれば、非接触型ＩＣカードチップと、非接触型ＩＣカードチップ用の同調回路と該同調回路のコイルのインダクタンスを自動的に変化させてアンテナの同調周波数を合わせることにより複数のリーダ／ライタとの通信を行う制御手段とを備えたので、複数のリーダ／ライタとの安定な通信が出来できる。
【００１９】
請求項５記載の発明は、請求項１から４のいずれか１項記載の発明において、過去に同調したことのある同調周波数のうちで同調頻度数に応じて周波数を設定して通信を行うようにしたことを特徴とする。
ここで、「過去に同調した」とは、例えば、工場で設定した場合をいうが、ユーザがボタン操作で任意に設定するように構成してもよい。
【００２０】
請求項５記載の発明によれば、過去に同調したことのある同調周波数のうちで同調頻度数に応じて周波数を設定して通信を行うようにしたので、複数のリーダ／ライタとの安定な通信が出来できる。
【００２１】
請求項６記載の発明は、同調回路のコンデンサの静電容量若しくはコイルのインダクタンスを変化させてアンテナの同調周波数を合わせることにより複数のリーダ／ライタとの通信を行う際に、前記同調周波数の決定を自動的に行うことを特徴とする。
【００２２】
請求項６記載の発明によれば、同調回路のコンデンサの静電容量若しくはコイルのインダクタンスを変化させてアンテナの同調周波数を合わせることにより複数のリーダ／ライタとの通信を行う際に、前記同調周波数の決定を自動的に行うので、複数のリーダ／ライタとの安定な通信が出来できる。
【００２３】
請求項７記載の発明は、請求項６記載の発明において、過去に同調したことのある同調周波数のうちで同調頻度数に応じて周波数を設定して通信を行うことを特徴とする。
【００２４】
請求項７記載の発明によれば、過去に同調したことのある同調周波数のうちで同調頻度数に応じて周波数を設定して通信を行うので、複数のリーダ／ライタとの安定な通信が出来できる
【発明の効果】
【００２５】
本発明によれば、同調回路のコンデンサの静電容量若しくはコイルのインダクタンスを変化させてアンテナの同調周波数を合わせることにより複数のリーダ／ライタとの通信を行う際に、前記同調周波数の決定を自動的に行うので、複数のリーダ／ライタとの安定な通信が出来できる。
【発明を実施するための最良の形態】
【００２６】
〔特徴〕
本発明は非接触型ＩＣカードを内蔵する携帯電話機において、複数のリーダ／ライタとの通信を可能とするために通信相手であるリーダ／ライタに対して過去に通信を行った際に使用したアンテナの共振周波数を元に自動的にアンテナの共振周波数を選択できるようにしたことを特徴とする。また、本発明は非接触型ＩＣカードを内蔵する携帯電話機において、過去に同調したことのある同調周波数のうちで同調頻度数に応じて周波数を設定して通信を行うようにしたことを特徴とする。
【００２７】
本発明の非接触型ＩＣカード内蔵携帯端末に係る一実施の形態は、同調回路のコンデンサの静電容量を変化させてアンテナの同調周波数を合わせることにより複数のリーダ／ライタとの通信を行う際に、同調周波数の決定を自動的に行うようにしたことを特徴とする。
【００２８】
上記構成によれば、同調回路のコンデンサの静電容量を変化させてアンテナの同調周波数を合わせることにより、複数のリーダ／ライタとの通信を行う際に、同調周波数の決定を自動的に行うようにしたので、複数のリーダ／ライタとの安定な通信が出来できる。
【００２９】
本発明の非接触型ＩＣカード内蔵携帯端末に係る他の実施の形態は、非接触型ＩＣカードチップと、非接触型ＩＣカードチップ用の同調回路と、同調回路のコンデンサの静電容量を自動的に変化させてアンテナの同調周波数を合わせることにより複数のリーダ／ライタとの通信を行う制御手段とを備えたことを特徴とする。
【００３０】
上記構成によれば、非接触型ＩＣカードチップと、非接触型ＩＣカードチップ用の同調回路と、同調回路のコンデンサの静電容量を自動的に変化させてアンテナの同調周波数を合わせることにより複数のリーダ／ライタとの通信を行う制御手段とを備えたので、複数のリーダ／ライタとの安定な通信が出来できる。
【００３１】
本発明の非接触型ＩＣカード内蔵携帯端末に係る他の実施の形態は、同調回路のコイルのインダクタンスを変化させてアンテナの同調周波数を合わせることにより複数のリーダ／ライタとの通信を行う際に、同調周波数の決定を自動的に行うようにしたことを特徴とする。
【００３２】
上記構成によれば、同調回路のコイルのインダクタンスを変化させてアンテナの同調周波数を合わせることにより複数のリーダ／ライタとの通信を行う際に、同調周波数の決定を自動的に行うようにしたので、複数のリーダ／ライタとの安定な通信が出来できる。
【００３３】
本発明の非接触型ＩＣカード内蔵携帯端末に係る他の実施の形態は、非接触型ＩＣカードチップと、非接触型ＩＣカードチップ用の同調回路と、同調回路のコイルのインダクタンスを自動的に変化させてアンテナの同調周波数を合わせることにより複数のリーダ／ライタとの通信を行う制御手段とを備えたことを特徴とする。
【００３４】
上記構成によれば、非接触型ＩＣカードチップと、非接触型ＩＣカードチップ用の同調回路と同調回路のコイルのインダクタンスを自動的に変化させてアンテナの同調周波数を合わせることにより複数のリーダ／ライタとの通信を行う制御手段とを備えたので、複数のリーダ／ライタとの安定な通信が出来できる。
【００３５】
本発明の非接触型ＩＣカード内蔵携帯端末に係る他の実施の形態は、上記構成に加え、過去に同調したことのある同調周波数のうちで同調頻度数に応じて周波数を設定して通信を行うようにしたことを特徴とする。
【００３６】
上記構成によれば、過去に同調したことのある同調周波数のうちで同調頻度数に応じて周波数を設定して通信を行うようにしたので、複数のリーダ／ライタとの安定な通信が出来できる。
【００３７】
本発明の非接触型ＩＣカード内蔵携帯端末の制御方法に係る一実施の形態は、同調回路のコンデンサの静電容量若しくはコイルのインダクタンスを変化させてアンテナの同調周波数を合わせることにより複数のリーダ／ライタとの通信を行う際に、前記同調周波数の決定を自動的に行うことを特徴とする。
【００３８】
上記構成によれば、同調回路のコンデンサの静電容量若しくはコイルのインダクタンスを変化させてアンテナの同調周波数を合わせることにより複数のリーダ／ライタとの通信を行う際に、前記同調周波数の決定を自動的に行うので、複数のリーダ／ライタとの安定な通信が出来できる。
【００３９】
本発明の非接触型ＩＣカード内蔵携帯端末に係る他の実施の形態は、上記構成に加え、過去に同調したことのある同調周波数のうちで同調頻度数に応じて周波数を設定して通信を行うことを特徴とする。
【００４０】
上記構成によれば、過去に同調したことのある同調周波数のうちで同調頻度数に応じて周波数を設定して通信を行うので、複数のリーダ／ライタとの安定な通信が出来できる。
次に本発明に係る非接触型ＩＣカード内蔵携帯端末の実施例について説明する。
【実施例】
【００４１】
〔構成〕
図１は、本発明に係る非接触型ＩＣカード内蔵携帯端末の制御方法を適用した非接触型ＩＣカード内蔵携帯端末の一実施例を示す部分ブロック図である。
図１を参照すると、非接触型ＩＣカード内蔵携帯端末としての携帯電話に内蔵された非接触型ＩＣカード部の構成が示されている。なお、説明を簡単にするために、携帯電話のフロントエンド回路、マイクロフォン、スピーカ、カメラ等は省略されている。
【００４２】
図１においてアンテナ１は、図には示されていないリーダ／ライタからの電磁誘導を受けるためのアンテナ（例えば、ループアンテナ）であり、同調用コンデンサ２はアンテナ１を通信キャリヤに共振させるためのコンデンサである（アンテナ１、同調用コンデンサ２及び調整用コンデンサ群３で同調回路が構成されている。）。同調回路としては、例えば、並列共振回路若しくは直列共振回路が挙げられる。
調整用コンデンサ群３は制御部５からの信号によりアンテナ１の共振周波数を変化させるコンデンサ群である。
同調用コンデンサ２及び調整用コンデンサ群３はＭＯＳコンデンサであっても、チップコンデンサであってもよい。
【００４３】
切り替えスイッチ７は、調整用コンデンサ群３のコンデンサを切換えて同調用コンデンサ２と並列接続するスイッチである。
非接触型ＩＣカードチップ４は、リーダ／ライタからの信号を受けてデータの送受信を行うチップである。
メモリー部６は、過去に通信を行った際のリーダ／ライタとの共振周波数が記憶されている記憶回路であり、例えば、ＲＡＭ若しくはＲＯＭが挙げられる。
制御部５は、非接触型ＩＣカードからの信号とメモリー部６に蓄積されたデータからアンテナ１の共振周波数を決定する制御部であり、例えば、マイクロプロセッサが挙げられ、携帯端末の制御部と兼用してもよい。この制御部５は、アンテナ１の共振周波数を過去に通信を行った際に使用したアンテナ１の共振周波数を元に自動的にアンテナ１の共振周波数を可変して通信を行う。
【００４４】
以上詳細に実施例の構成を述べたが、図１に示した非接触型ＩＣカードチップは、当業者にとってよく知られており、また本発明とは直接関係しないので、その詳細な構成は省略する。
また、制御部５およびメモリー部６に関しても携帯電話にて実現する制御部およびメモリー部の機能の一部として実現するので、当業者にとってよく知られており、また本発明とは直接関係しないので、その詳細な構成は省略する。
【００４５】
〔動作の説明〕
次に図１に示した非接触型ＩＣカード内蔵携帯端末の動作を図３を使用して説明する。
図３は、図１に示した非接触型ＩＣカード内蔵携帯端末の動作を示すフローチャートの一例である。
リーダ／ライタは、非接触型ＩＣカードとの通信を行うため一定の間隔で通信相手確認の信号を送信している。これを制御部５により受信する同調周波数を決定し、切換えスイッチ７にて調整用コンデンサ３を切換えてアンテナ１より受信し、信号を非接触型ＩＣカードチップ４へ送る。
【００４６】
この周波数決定手段を図３のタイムチャートにて説明する。
図３において、同調周波数の切換えは３種類であり、それぞれ周波数をｆａ、ｆｂ、ｆｃとし、過去に行った通信回数Ｎ０回での同調周波数ｆａをａ回、ｆｂをｂ回、ｆｃをｃ回とした場合を例として説明する。
【００４７】
初期設定としてＮａ、Ｎｂ、Ｎｃ、Ｎ０を設定する（ステップＳ１）。変数ａ、ｂ、ｃを設定し（ステップＳ２）、Ｎ１、Ｎ２、Ｎ３を０に設定する（ステップＳ３）。
【００４８】
（１）ａの値の判定（ステップＳ４関係）
ａが０であるか否かを判断し（ステップＳ４）、ａが０ではないと判断した場合（ステップＳ４／Ｎ）、周波数をｆａに設定して一定時間受信し、ａ＝ａ−１とし、信号が受信されたら通信を行い、Ｎ１＝Ｎ１＋１とする（ステップＳ５）。ｂ＝０であるか否かを判断し（ステップＳ６）、その後（２）へ進み、一定時間経過後受信されなかったら（２）へ進み、ａが０であると判断した場合（ステップＳ４／Ｙ）は（２）へ進む。
【００４９】
（２）ｂの値の判定（ステップＳ６関係）
ｂが０であるか否かを判断し（ステップＳ６）、ｂが０でないと判断した場合（ステップＳ６／Ｎ）、周波数をｆｂに設定して一定時間受信し、ｂ＝ｂ−１とし、信号が受信されたら通信を行いＮ２＝Ｎ２＋１として（３）へ進み（ステップＳ７）、一定時間経過後受信されなかったら、（３）へ進む。ｂが０の場合（ステップＳ６／Ｙ）は（３）へ進む。
【００５０】
（３）ｃの値の判定（ステップＳ８関係）
ｃが０であるか否かを判断し（ステップＳ８）、ｃが０でないと判断した場合（ステップＳ８／Ｎ）、周波数をｆｂに設定して一定時間受信し、ｃ＝ｃ−１とし、信号が受信されたら通信を行いＮ３＝Ｎ３＋１とし（４）へ進み（ステップＳ９）、一定時間経過後受信されなかったら（４）へ進む。ｃが０の場合（ステップＳ８／Ｙ）（４）へ進む。
【００５１】
（４）Ｎ１＋Ｎ２＋Ｎ３の値を判定
Ｎ０＝Ｎ１＋Ｎ２＋Ｎ３であるか否かを判断し（ステップＳ１０）、Ｎ０＝Ｎ１＋Ｎ２＋Ｎ３である場合（ステップＳ１０／Ｙ）、Ｎａ＝Ｎ１、Ｎｂ＝Ｎ２、Ｎｃ＝Ｎ１とし（ステップＳ１１）、ステップＳ２に戻って繰り返す。
Ｎ０＝Ｎ１＋Ｎ２＋Ｎ３でない場合（ステップＳ１０／Ｎ）、Ｎａ＝Ｎａ、Ｎｂ＝Ｎｂ、Ｎｃ＝Ｎｃとし（ステップＳ１０／Ｎ）、ステップＳ２に戻って繰り返す。
以上のフローに従い受信する周波数を決定する。
【００５２】
すなわち、本実施例の非接触型ＩＣカード内蔵携帯端末の制御方法は、同調回路のコンデンサの静電容量若しくはコイルのインダクタンスを変化させてアンテナの同調周波数を合わせることにより複数のリーダ／ライタとの通信を行う際に、前記同調周波数の決定を自動的に行うものであり、過去に同調したことのある同調周波数のうちで同調頻度数に応じて周波数を設定して通信を行うものである。
【００５３】
〔効果の説明〕
以上説明したように、本発明においては、以下に記載するような効果を奏する。
第１の効果はアンテナの同調周波数を可変しているので、複数のリーダ／ライタとの通信を安定にできることである。
【００５４】
第２の効果は同調周波数を自動的に選択しているので、相手のリーダ／ライタにあわせて手動で選択する事が不要であることである。
【００５５】
第３の効果は過去に行った通信での同調周波数を基に周波数を決定しているので、最も通信可能性の高い周波数の組み合わせで受信するので、通信成立確率を上げる事ができることである。
【００５６】
なお、上述した実施例は、本発明の好適な実施の形態の一例を示すものであり、本発明はそれに限定されることなく、その要旨を逸脱しない範囲内において、種々変形実施が可能である。例えば、上述の説明では、同調回路がアンテナ１、同調用コンデンサ２及び調整用コンデンサ群３で構成された場合について説明したが、本発明ではこれに限定されず、同調用コンデンサの代わりにコイルを用いたり、調整用コンデンサ群の代わりに調整用コイル群を用いたりしてもしてもよい。  この場合、同調用コイル及び調整用コイル群は、巻線コイルを用いてもチップインダクタを用いてもよい。
【００５７】
また、本実施例では、同調周波数の切換えは３種類であり、それぞれ周波数をｆａ、ｆｂ、ｆｃとし、過去に行った通信回数Ｎ０回での同調周波数ｆａをａ回、ｆｂをｂ回、ｆｃをｃ回とした場合を例として説明したが、本発明はこれに限定されるものではない。
【産業上の利用可能性】
【００５８】
本発明は、携帯電話、ＰＤＡ（Personal Digital Assistants：携帯情報端末）に利用できる。
【図面の簡単な説明】
【００５９】
【図１】本発明に係る非接触型ＩＣカード内蔵携帯端末の制御方法を適用した非接触型ＩＣカード内蔵携帯端末の一実施例を示す部分ブロック図である。
【図２】（ａ）は、非接触型ＩＣカード用の各リーダ／ライタと共振周波数との関係を示す図であり、（ｂ）は、非接触型ＩＣカードのうちのカードＩと共振周波数との関係を示す図であり、（ｃ）は、非接触型ＩＣカードのうちのカードIIと共振周波数との関係を示す図である。
【図３】図１に示した非接触型ＩＣカード内蔵携帯端末の動作を示すフローチャートの一例である。
【符号の説明】
【００６０】
１    アンテナ
２    同調用コンデンサ
３    調整用コンデンサ群
４    非接触型ＩＣカードチップ
５    制御部
６    メモリー部
７    切換スイッチ
【図１】
2008225927.tif 000003
【図２】
2008225927.tif 000004
【図３】
2008225927.tif 000005